(57)【要約】【課題】原稿が搬送される搬送路を切り替えることにより発生する不具合を防止し、省電力化すること。【解決手段】上側画像センサ６２は、搬送されている原稿に接触することにより、原稿が所定の厚さより薄いときに所定の位置に配置され、原稿が所定の厚さより厚いときに上昇する。第５搬送ガイド３７は、下降することにより原稿を屈曲搬送路に案内し、上昇することにより原稿をストレート搬送路に案内する。拡大機構８１は、上側画像センサ６２が所定の位置に配置されることにより第５搬送ガイド３７を下降させ、上側画像センサ６２が上昇されることにより第５搬送ガイド３７を上昇させる。このような画像読取装置は、屈曲搬送路とストレート搬送路とのうちの原稿の厚さに対応する搬送路を介して原稿を排紙することができ、省電力である。【選択図】図１１
2017197308.tif 000002
【特許請求の範囲】
【請求項１】
搬送されている原稿に接触することにより、前記原稿の厚さが所定の厚さより薄いときに第１検出領域に配置され、前記原稿の厚さが前記所定の厚さより厚いときに第２検出領域に配置される可動部材と、
第１ガイド位置に配置されることにより前記原稿を第１搬送路に案内し、第２ガイド位置に配置されることにより前記原稿を第２搬送路に案内する切替部と、
前記可動部材が前記第１検出領域に配置されることにより前記切替部を前記第１ガイド位置に移動させ、前記可動部材が前記第２検出領域に配置されることにより前記切替部を前記第２ガイド位置に移動させる機構
とを備える画像読取装置。
【請求項２】
前記原稿が前記第１搬送路を通過するときに前記原稿が変形する程度は、前記原稿が前記第２搬送路を通過するときに前記原稿が変形する程度より大きい
請求項１に記載の画像読取装置。
【請求項３】
前記可動部材は、前記原稿に接触することにより前記原稿から画像を読み取る読取部である
請求項１または請求項２に記載の画像読取装置。
【請求項４】
前記機構は、
前記可動部材が移動することにより第１作用点を移動させる第１機械要素と、
前記第１作用点が移動することにより前記切替部を移動させる第２機械要素とを有する
請求項１〜請求項３のいずれか一項に記載の画像読取装置。
【請求項５】
前記第１機械要素は、複数の第１歯車が形成され、
前記第２機械要素は、前記複数の第１歯車にかみ合う複数の第２歯車が形成される
請求項４に記載の画像読取装置。
【請求項６】
前記可動部材は、回転することにより前記原稿を搬送する搬送ローラである
請求項１または請求項２に記載の画像読取装置。
【請求項７】
前記機構は、
前記可動部材が前記第１検出領域に配置されているときに前記搬送ローラに接触しないで、前記可動部材が前記第２検出領域に配置されているときに前記搬送ローラに接触することにより回転する第１回転機械要素と、
前記第１回転機械要素が回転することにより前記切替部を前記第１ガイド位置から前記第２ガイド位置に移動させる第２回転機械要素とを有する
請求項６に記載の画像読取装置。
【請求項８】
２枚のシートが重ねられたキャリアシートをさらに備え、
前記原稿は、
前記キャリアシートと、
前記２枚のシートの間に挟まれた原稿本体とを含み、
前記キャリアシートは、前記原稿の厚さが前記所定の厚さより厚くなるように形成される
請求項１〜請求項７のいずれか一項に記載の画像読取装置。
【発明の詳細な説明】
【技術分野】
【０００１】
本発明は、画像読取装置に関する。
【背景技術】
【０００２】
原稿をＵターンさせて搬送する画像読取装置が知られている。このような画像読取装置は、給紙される原稿が載置される原稿台が装置の後方に設けられ、排紙された原稿が載置される原稿排出台が原稿台の前方上部に設けられることにより、設置スペースを低減することができる。このような画像読取装置は、原稿を屈曲させないで搬送するストレートパスをさらに有し、その原稿が適切に搬送されるように、その原稿を搬送させるパスを切り替えることができる（特許文献１〜３参照）。
【先行技術文献】
【特許文献】
【０００３】
【特許文献１】特開２０１３−５２９２９号公報
【特許文献２】特開２００７−４９３００号公報
【特許文献３】特開２０１３−７６９４０号公報
【発明の概要】
【発明が解決しようとする課題】
【０００４】
しかしながら、このような画像読取装置は、その原稿を搬送させるパスを切り替えるときに、ユーザが操作する必要があり、手間がかかるという問題がある。このような画像読取装置は、さらに、原稿を搬送させるパスを切り替えるためにモータを用いるために、電力消費量が増大するという問題がある。
【０００５】
開示の技術は、かかる点に鑑みてなされたものであって、原稿が搬送される搬送路を切り替えることにより発生する不具合を防止し、省電力である画像読取装置を提供することを目的とする。
【課題を解決するための手段】
【０００６】
開示の態様では、画像読取装置は、可動部材と切替部と機構とを備えている。可動部材は、搬送されている原稿に接触することにより、前記原稿の厚さが所定の厚さより薄いときに第１検出領域に配置され、前記原稿の厚さが前記所定の厚さより厚いときに第２検出領域に配置される。切替部は、第１ガイド位置に配置されることにより前記原稿を第１搬送路に案内し、第２ガイド位置に配置されることにより前記原稿を第２搬送路に案内する。機構は、前記可動部材が前記第１検出領域に配置されることにより前記切替部を前記第１ガイド位置に移動させ、前記可動部材が前記第２検出領域に配置されることにより前記切替部を前記第２ガイド位置に移動させる。
【発明の効果】
【０００７】
開示の画像読取装置は、原稿の厚さに応じて変動する可動部材の位置に応じて搬送路を機械的に切り替えることにより、画像が読み取られた原稿の厚さに応じた搬送路を介してその原稿を排紙することができ、省電力である。
【図面の簡単な説明】
【０００８】
【図１】図１は、実施例１の画像読取装置を示す側面図である。
【図２】図２は、スタッカとシュータとを示す斜視図である。
【図３】図３は、スタッカが格納されているときの画像読取装置を示す側面図である。
【図４】図４は、スタッカが格納されているときのスタッカとシュータとを示す斜視図である。
【図５】図５は、シュータが格納されているときの画像読取装置を示す側面図である。
【図６】図６は、シュータが格納されているときのスタッカとシュータとを示す斜視図である。
【図７】図７は、搬送装置と読取装置とを示す断面図である。
【図８】図８は、読取装置を示す側面図である。
【図９】図９は、第５搬送ガイドが下降しているときの筐体の前面を示す斜視図である。
【図１０】図１０は、第５搬送ガイドが上昇しているときの筐体の前面を示す斜視図である。
【図１１】図１１は、拡大機構を示す側面図である。
【図１２】図１２は、実施例２の拡大機構を示す側面図である。
【図１３】図１３は、上側画像センサが上昇したときの実施例２の拡大機構を示す側面図である。
【図１４】図１４は、実施例３の拡大機構を示す側面図である。
【図１５】図１５は、実施例４の画像読取装置の搬送ガイドと拡大機構を示す側面図である。
【図１６】図１６は、実施例４の拡大機構を示す拡大図である。
【図１７】図１７は、第４搬送ローラが下降したときの実施例４の拡大機構を示す側面図である。
【図１８】図１８は、実施例５のキャリアシートを示す斜視図である。
【図１９】図１９は、実施例５のキャリアシートを示す側面図である。
【発明を実施するための形態】
【０００９】
以下に、本願が開示する実施形態にかかる画像読取装置について、図面を参照して説明する。なお、以下の記載により本発明が限定されるものではない。また、以下の記載においては、同一の構成要素に同一の符号を付与し、重複する説明を省略する。
【００１０】
＜実施例１＞
［画像読取装置］
図１は、実施例１の画像読取装置１を示す側面図である。画像読取装置１は、図１に示されているように、筐体２とシュータ３とシュータ支持部５とスタッカ６とスタッカ支持部７とを備えている。筐体２は、箱型に形成され、画像読取装置１が設置される設置面に載置される。シュータ３は、板状に形成され、概ね平坦であるシュータ載置面１１が形成されている。シュータ３は、画像読取装置１の設置面が水平であるときに、シュータ載置面１１が斜め上方を向き、シュータ載置面１１が画像読取装置１の設置面となす角が５５度に等しくなるように、筐体２の奥側の上部に配置されている。シュータ支持部５は、筐体２に対して回転軸１２を中心にシュータ３が回転することができるように、シュータ３を支持している。回転軸１２は、画像読取装置１の設置面に平行であり、かつ、シュータ載置面１１に平行である。シュータ支持部５は、さらに、シュータ載置面１１が画像読取装置１の設置面となす角が５５度より小さくならないように、シュータ３が回転することを抑止している。すなわち、シュータ支持部５は、図１に示されているような状態から重力によりシュータ３が回転軸１２を中心に時計回りに回転しないように、シュータ３を支持している。
【００１１】
スタッカ６は、板状に形成され、概ね平坦であるスタッカ載置面１５が形成されている。スタッカ６は、スタッカ載置面１５がシュータ載置面１１と概ね平行になるように、すなわち、スタッカ載置面１５が斜め上方を向き、スタッカ載置面１５が画像読取装置１の設置面となす角が５５度に等しくなるように、筐体２の手前側の上部に配置されている。スタッカ６は、このように配置されることにより、シュータ載置面１１の一部を覆っている。スタッカ支持部７は、筐体２に対して回転軸１６を中心にスタッカ６が回転することができるように、スタッカ６を支持している。回転軸１６は、回転軸１２に平行であり、すなわち、画像読取装置１の設置面に平行であり、かつ、スタッカ載置面１５に平行である。スタッカ支持部７は、さらに、スタッカ載置面１５が画像読取装置１の設置面となす角が５５度より大きくならないように、スタッカ６が回転することを抑止している。すなわち、スタッカ支持部７は、図１に示されているような状態からスタッカ６が回転軸１６を中心に反時計回りに回転しないように、スタッカ６を支持している。
【００１２】
画像読取装置１は、スタッカ格納領域１８が形成されている。スタッカ格納領域１８は、筐体２の上部のうちのシュータ３とスタッカ６との間に形成され、スタッカ６が配置されている領域より、シュータ３が配置されている領域に近い。
【００１３】
図２は、スタッカ６とシュータ３とを示す斜視図である。画像読取装置１は、図２に示されているように、さらに、ベース部２０を備えている。ベース部２０は、筐体２の内部に配置され、筐体２に固定されている。スタッカ６は、第１スタッカ部材２１と第２スタッカ部材２２と第３スタッカ部材２３とを備えている。第１スタッカ部材２１は、板状に形成され、スタッカ載置面１５の一部を形成している。第１スタッカ部材２１は、回転軸１６を中心に回転可能に、スタッカ支持部７によりベース部２０に支持されている。第２スタッカ部材２２は、第１スタッカ部材２１より薄い板状に形成され、スタッカ載置面１５の一部を形成している。第２スタッカ部材２２は、第１スタッカ部材２１の内部から引き出されたり第１スタッカ部材２１の内部に押し込まれたりすることができるように、伸縮方向２４に平行に平行移動可能に、第１スタッカ部材２１に支持されている。伸縮方向２４は、回転軸１６に垂直であり、かつ、スタッカ載置面１５に平行である。第３スタッカ部材２３は、第２スタッカ部材２２より薄い板状に形成され、スタッカ載置面１５の一部を形成している。第３スタッカ部材２３は、第２スタッカ部材２２の内部から引き出されたり第２スタッカ部材２２の内部に押し込まれたりすることができるように、伸縮方向２４に平行に平行移動可能に、第２スタッカ部材２２に支持されている。スタッカ６は、このように形成されることにより、回転軸１６から遠い側の端部１７が回転軸１６に接近するように短縮したり、端部１７が回転軸１６から遠ざかるように延伸したりするように、伸縮可能に形成されている。
【００１４】
スタッカ６は、さらに、図示されていない連動機構を備えている。その連動機構は、第２スタッカ部材２２が第１スタッカ部材２１から引き出されたり第１スタッカ部材２１に押し込まれたりする運動を、第３スタッカ部材２３が第２スタッカ部材２２から引き出されたり第２スタッカ部材２２に押し込まれたりする運動に変換する。すなわち、その連動機構は、第２スタッカ部材２２が第１スタッカ部材２１から引き出される運動を、第３スタッカ部材２３が第２スタッカ部材２２から引き出される運動に機械的に変換する。その連動機構は、さらに、第２スタッカ部材２２が第１スタッカ部材２１に押し込まれる運動を、第３スタッカ部材２３が第２スタッカ部材２２に押し込まれる運動に機械的に変換する。スタッカ６は、このような連動機構を備えることにより、第２スタッカ部材２２が第１スタッカ部材２１から引き出されたり第１スタッカ部材２１に押し込まれたりすることにより、伸縮する。
【００１５】
図３は、スタッカ６がスタッカ格納領域１８に格納されているときの画像読取装置１を示す側面図である。スタッカ６は、図３に示されているように、短縮されたときに、回転軸１６を中心に回転することにより、スタッカ格納領域１８に配置され、格納される。すなわち、スタッカ支持部７は、スタッカ格納領域１８またはスタッカ展開領域１９にスタッカ６が配置されるように、スタッカ６を移動可能に支持している。スタッカ展開領域１９は、図１でスタッカ６が配置されている領域である。すなわち、スタッカ載置面１５は、スタッカ６がスタッカ展開領域１９に配置されることにより、斜め上方を向き、画像読取装置１の設置面となす角が５５度に概ね等しくなる。
【００１６】
スタッカ６は、スタッカ格納領域１８に配置されることにより、シュータ載置面１１を露出させ、スタッカ６がスタッカ展開領域１９に配置されているときに比較して、シュータ載置面１１のうちのスタッカ６により覆われる領域の面積を小さくすることができる。すなわち、スタッカ格納領域１８に配置されたスタッカ６をシュータ載置面１１に正射影した図形の面積は、スタッカ展開領域１９に配置されたスタッカ６をシュータ載置面１１に正射影した図形の面積より小さい。
【００１７】
図４は、スタッカ６がスタッカ格納領域１８に格納されているときのスタッカ６とシュータ３とを示す斜視図である。シュータ３は、図４に示されているように、第１シュータ部材２５と第２シュータ部材２６と第３シュータ部材２７とを備えている。第１シュータ部材２５は、板状に形成され、シュータ載置面１１の一部を形成している。第１シュータ部材２５は、回転軸１２を中心に回転可能に、シュータ支持部５によりベース部２０に支持されている。第２シュータ部材２６は、第１シュータ部材２５より薄い板状に形成され、シュータ載置面１１の一部を形成している。第２シュータ部材２６は、第１シュータ部材２５の内部から引き出されたり第１シュータ部材２５の内部に押し込まれたりすることができるように、伸縮方向２８に平行に平行移動可能に、第１シュータ部材２５に支持されている。伸縮方向２８は、回転軸１２に垂直であり、かつ、シュータ載置面１１に平行である。第３シュータ部材２７は、第２シュータ部材２６より薄い板状に形成され、シュータ載置面１１の一部を形成している。第３シュータ部材２７は、第２シュータ部材２６の内部から引き出されたり第２シュータ部材２６の内部に押し込まれたりすることができるように、伸縮方向２８に平行に平行移動可能に、第２シュータ部材２６に支持されている。シュータ３は、このように形成されることにより、回転軸１２から遠い側の端部１４が回転軸１２に接近するように短縮したり、端部１４が回転軸１２から遠ざかるように延伸したりするように、伸縮可能に形成されている。
【００１８】
図５は、シュータ３が格納されているときの画像読取装置１を示す側面図である。図６は、シュータ３が格納されているときのスタッカ６とシュータ３とを示す斜視図である。シュータ３は、図５に示されているように、スタッカ６がスタッカ格納領域１８に格納されているときに、回転軸１２を中心に回転することにより、スタッカ６の上部に配置されることができる。シュータ３は、短縮し、スタッカ６の上部に配置されることにより、格納される。すなわち、シュータ支持部５は、図３に示されるようにシュータ３が展開されたり、図５に示されているように、シュータ３がスタッカ６の上部に格納されたりするように、シュータ３を移動可能に支持している。画像読取装置１は、シュータ３が格納されることにより、装置高さが小さくなり、小型化される。シュータ３は、格納されることにより、さらに、図６に示されているように、スタッカ６を覆うことができる。
【００１９】
図７は、搬送装置３１と読取装置３２とを示す断面図である。画像読取装置１は、図７に示されているように、さらに、搬送装置３１と読取装置３２とを備えている。
【００２０】
［搬送装置］
搬送装置３１は、筐体２の内部に配置されている。搬送装置３１は、複数の搬送ガイド３３〜３７と複数の搬送ローラ４１〜４７とを備えている。複数の搬送ガイド３３〜３７は、第１搬送ガイド３３と第２搬送ガイド３４と第３搬送ガイド３５と第４搬送ガイド３６と第５搬送ガイド３７とを含んでいる。第１搬送ガイド３３は、概ね平坦である板状に形成されている。第１搬送ガイド３３は、画像読取装置１の設置面に概ね平行である平面に沿うように配置され、ベース部２０に固定されている。第２搬送ガイド３４は、概ね平坦である板状に形成されている。第２搬送ガイド３４は、第１搬送ガイド３３に対向するように、第１搬送ガイド３３の上部に配置されている。第２搬送ガイド３４は、さらに、回転軸３８を中心に回転可能にベース部２０に支持されている。回転軸３８は、シュータ３の回転軸１２に平行であり、第２搬送ガイド３４のシュータ３に近い側の端に配置されている。
【００２１】
第３搬送ガイド３５は、概ね板状に形成されている。第３搬送ガイド３５は、第１搬送ガイド３３が沿う平面に沿うように、第１搬送ガイド３３の手前側に配置され、ベース部２０に固定されている。第４搬送ガイド３６は、柱体状に形成され、円柱の側面の一部に沿う凸面が形成されている。第４搬送ガイド３６は、その凸面の一部が第３搬送ガイド３５に対向するように、第３搬送ガイド３５の上部に配置されている。第４搬送ガイド３６は、ベース部２０に固定されている。第５搬送ガイド３７は、柱体状に形成され、円柱の側面の一部に沿う凹面が形成されている。第５搬送ガイド３７は、その凹面が第４搬送ガイド３６の凸面に対向するように第４搬送ガイド３６の手前側に配置されている。第５搬送ガイド３７は、さらに、昇降可能にベース部２０に支持されている。
【００２２】
搬送装置３１は、複数の搬送ガイド３３〜３７を備えることにより、搬送路６５と搬送路６６と屈曲搬送路６７とストレート搬送路６８とが形成されている。搬送路６５は、第１搬送ガイド３３と第２搬送ガイド３４との間に形成されている。搬送路６５は、画像読取装置１の設置面に平行である平面に沿うように形成されている。搬送路６５は、さらに、シュータ３が展開されているときに、シュータ載置面１１に接続されるように形成されている。搬送路６６は、第３搬送ガイド３５と第４搬送ガイド３６との間に形成されている。搬送路６６は、搬送路６５に沿う平面に沿うように形成されている。
【００２３】
屈曲搬送路６７は、搬送路６５に沿う平面に第５搬送ガイド３７が交差するように第５搬送ガイド３７が下降しているときに、第４搬送ガイド３６と第５搬送ガイド３７との間に形成されている。屈曲搬送路６７は、円柱の側面に沿うように形成され、屈曲している。屈曲搬送路６７は、さらに、スタッカ６がスタッカ展開領域１９に配置されているときに、スタッカ載置面１５の上側に接続されるように形成されている。ストレート搬送路６８は、搬送路６５が沿う平面に第５搬送ガイド３７が交差しないように第５搬送ガイド３７が上昇しているときに、第５搬送ガイド３７の下側に形成されている。ストレート搬送路６８は、搬送路６５が沿う平面に沿うように形成されている。ストレート搬送路６８は、さらに、搬送路６６が筐体２の外部に接続されるように形成されている。
【００２４】
複数の搬送ローラ４１〜４７は、第１搬送ローラ４１と第２搬送ローラ４２と第３搬送ローラ４３と第４搬送ローラ４４と第５搬送ローラ４５と第６搬送ローラ４６と第７搬送ローラ４７とを含んでいる。第１搬送ローラ４１は、円柱状に形成され、搬送路６５の上部に配置されている。第１搬送ローラ４１は、回転軸５１を中心に回転可能にベース部２０に支持されている。回転軸５１は、回転軸１２に平行である。第１搬送ローラ４１は、さらに、展開されているシュータ３のシュータ載置面１１に載置される原稿に接触するように、配置されている。シュータ載置面１１に載置されている複数の原稿のうちの第１搬送ローラ４１に接触している１枚の原稿は、第１搬送ローラ４１が回転軸５１を中心に正転（図７で時計回り）することにより、搬送路６５に搬送される。
【００２５】
第２搬送ローラ４２は、円柱状に形成され、搬送路６５の下部のうちの第１搬送ローラ４１より手前側に配置されている。第２搬送ローラ４２は、回転軸５２を中心に回転可能にベース部２０に支持されている。回転軸５２は、回転軸５１に平行である。第３搬送ローラ４３は、円柱状に形成され、第２搬送ローラ４２の上部に配置されている。第３搬送ローラ４３は、回転軸５３を中心に回転可能にベース部２０に支持されている。回転軸５３は、回転軸５１に平行である。第２搬送ローラ４２と第３搬送ローラ４３とは、さらに、搬送路６５を搬送される原稿が第２搬送ローラ４２と第３搬送ローラ４３との間に挟まれるように配置されている。搬送路６５を搬送される原稿は、第２搬送ローラ４２が回転軸５２を中心に正転（図７で反時計回り）し、第３搬送ローラ４３が回転軸５３を中心に正転（図７で時計回り）することにより、搬送路６６に搬送される。第２搬送ガイド３４は、搬送路６５を搬送される原稿が第２搬送ガイド３４のうちの回転軸３８から遠い側の端６９に接触することにより、その原稿の厚さに対応する高さに端６９が配置されるように、回転軸３８を中心に回転する。すなわち、第２搬送ガイド３４の端６９が配置される高さは、搬送路６５を搬送される原稿が厚いほど高い。
【００２６】
第４搬送ローラ４４は、円柱状に形成され、搬送路６６の下部に配置されている。第４搬送ローラ４４は、回転軸５４を中心に回転可能に、かつ、鉛直方向に昇降可能に、ベース部２０に支持されている。第５搬送ローラ４５は、円柱状に形成され、搬送路６６の上部に配置されている。第５搬送ローラ４５は、回転軸５５を中心に回転可能にベース部２０に支持されている。第４搬送ローラ４４と第５搬送ローラ４５とは、さらに、搬送路６６を搬送される原稿が第４搬送ローラ４４と第５搬送ローラ４５との間に挟まれるように配置されている。第４搬送ローラ４４は、搬送路６６を搬送される原稿の厚さに対応する高さに配置されるように昇降する。すなわち、第４搬送ローラ４４が配置される高さは、搬送路６６を搬送される原稿が厚いほど低い。
【００２７】
搬送路６６を搬送される原稿は、第５搬送ガイド３７が下降しているときに、第４搬送ローラ４４が回転軸５４を中心に正転（図７で反時計回り）し、第５搬送ローラ４５が回転軸５５を中心に正転（図７で時計回り）することにより、屈曲搬送路６７に搬送される。搬送路６６を搬送される原稿は、第５搬送ガイド３７が上昇しているときに、第４搬送ローラ４４と第５搬送ローラ４５が正転することにより、屈曲搬送路６７に搬送されないで、ストレート搬送路６８に搬送され、筐体２の外部に排紙される。
【００２８】
第６搬送ローラ４６は、円柱状に形成され、屈曲搬送路６７の手前側に配置されている。第６搬送ローラ４６は、回転軸５６を中心に回転可能にベース部２０に支持されている。回転軸５６は、回転軸５１に平行である。第７搬送ローラ４７は、円柱状に形成され、第６搬送ローラ４６の奥側に配置されている。第７搬送ローラ４７は、回転軸５７を中心に回転可能にベース部２０に支持されている。回転軸５７は、回転軸５１に平行である。第６搬送ローラ４６と第７搬送ローラ４７とは、さらに、屈曲搬送路６７を搬送される原稿が第６搬送ローラ４６と第７搬送ローラ４７との間に挟まれるように配置されている。屈曲搬送路６７を搬送される原稿は、第６搬送ローラ４６が回転軸５６を中心に正転（図７で反時計回り）し、第７搬送ローラ４７が回転軸５７を中心に正転（図７で時計回り）することにより、スタッカ展開領域１９のスタッカ６のスタッカ載置面１５に載置される。
【００２９】
搬送装置３１は、このように構成されることにより、第５搬送ガイド３７がストレート搬送路６８を遮断するように下降しているときに、搬送路６５、６６と屈曲搬送路６７とを介して、シュータ３に載置された原稿をスタッカ６に搬送し、その原稿をスタッカ載置面１５に載置する。このとき、その原稿は、シュータ３に載置されているときにシュータ載置面１１に対向している面が、スタッカ６のスタッカ載置面１５に載置されているときにスタッカ載置面１５に対向している面の裏面である。搬送装置３１は、さらに、第５搬送ガイド３７がストレート搬送路６８を開放するように上昇しているときに、搬送路６５、６６とストレート搬送路６８とを介して、シュータ３に載置された原稿を筐体２の外部に排紙する。
【００３０】
［読取装置］
読取装置３２は、筐体２の内部のうちの搬送路６５と搬送路６６との間に配置されている。読取装置３２は、下側画像センサ６１と上側画像センサ６２とを備えている。下側画像センサ６１は、搬送路６５と搬送路６６とが沿う平面の下側に配置され、ベース部２０に固定されている。上側画像センサ６２は、搬送路６５と搬送路６６とが沿う平面の上側に配置され、昇降可能にベース部２０に支持されている。
【００３１】
図８は、読取装置３２を示す側面図である。上側画像センサ６２は、図８に示されているように、さらに、下側画像センサ６１と上側画像センサ６２との間に隙間が形成されるように、かつ、下側画像センサ６１と上側画像センサ６２との距離が所定の距離Ｘより小さくならないように、支持されている。距離Ｘは、屈曲搬送路６７を搬送されても屈曲する癖がつかない用紙の厚さより大きくなるように設計され、屈曲搬送路６７を搬送されたときに屈曲する癖がついてしまう用紙の厚さより小さくなるように設計されている。距離Ｘは、さらに、屈曲搬送路６７を通過することができないプラスチックカードの厚さより小さくなるように設計されている。距離Ｘとしては、０．３ｍｍ〜０．４ｍｍの範囲に含まれる長さが例示される。読取装置３２は、さらに、バネ６３を備えている。バネ６３は、弾性体から形成されている。バネ６３は、下側画像センサ６１と上側画像センサ６２との距離が距離Ｘより大きくなるように上側画像センサ６２が上昇したときに、上側画像センサ６２を下降させるように、弾性力を上側画像センサ６２に印加している。
【００３２】
読取装置３２は、このように形成されることにより、厚さＹが距離Ｘより大きい原稿６４が搬送路６５から搬送路６６に搬送されたときに、原稿６４により上側画像センサ６２が押し上げられることにより、上側画像センサ６２が上昇する。厚さＹとしては、０．７６ｍｍ以上の厚さが例示される。このような原稿６４としては、厚紙、クレジットカード、キャッシュカードが例示される。
【００３３】
下側画像センサ６１は、ＣＩＳ（Ｃｏｎｔａｃｔ  Ｉｍａｇｅ  Ｓｅｎｓｏｒ）タイプのイメージセンサから形成されている。下側画像センサ６１は、搬送路６５から搬送路６６に搬送される原稿の下側の読取面に接触し、その読取面を照明し、その読取面を反射した光を受光することにより、その読取面の画像を読み取る。上側画像センサ６２は、ＣＩＳタイプのイメージセンサから形成されている。上側画像センサ６２は、搬送路６５から搬送路６６に搬送される原稿の上側の読取面に接触し、その読取面を照明し、その読取面を反射した光を受光することにより、その読取面の画像を読み取る。
【００３４】
図９は、第５搬送ガイド３７が下降しているときの筐体２の前面を示す斜視図である。第５搬送ガイド３７は、図９に示されているように、第５搬送ガイド３７がストレート搬送路６８を遮断するように下降していることにより、搬送路６５が外部に露出しないように、搬送路６５を外部から隔てている。
【００３５】
図１０は、第５搬送ガイド３７が上昇しているときの筐体２の前面を示す斜視図である。第５搬送ガイド３７は、図１０に示されているように、第５搬送ガイド３７がストレート搬送路６８を開放するように上昇していることにより、搬送路６５を外部に接続している。
【００３６】
図１１は、拡大機構８１を示す側面図である。画像読取装置１は、図１１に示されているように、さらに、拡大機構８１を備えている。拡大機構８１は、第１てこ８２と第２てこ８３とを備えている。第１てこ８２は、棒状に形成され、概ね水平である直線に沿うように配置されている。第１てこ８２は、一端が回転軸８４を中心に回転可能にベース部２０に支持されている。回転軸８４は、回転軸５１に平行であり、上側画像センサ６２より奥側に配置されている。第１てこ８２は、さらに、力点部８５と作用点部８６とが形成されている。力点部８５は、第１てこ８２から下側に突出し、上側画像センサ６２の上部に突き当たるように形成されている。作用点部８６は、第１てこ８２のうちの回転軸８４が配置される端の反対側の端に形成されている。このため、第１てこ８２は、上側画像センサ６２が上昇することにより、回転軸８４を中心に回転し、上側画像センサ６２が上昇する距離よりも大きい距離（たとえば、上側画像センサ６２が上昇する距離の１０倍の距離）だけ、作用点部８６が上昇する。
【００３７】
第２てこ８３は、一端が回転軸８７を中心に回転可能にベース部２０に支持されている。回転軸８７は、回転軸５４に平行である。第２てこ８３は、さらに、力点部８８とガイド保持部８９とが形成されている。力点部８８は、第２てこ８３から下側に突出し、第１てこ８２の作用点部８６に突き当たるように形成されている。ガイド保持部８９は、第２てこ８３のうちの回転軸８７が配置される端の反対側の端に形成されている。このため、第２てこ８３は、第１てこ８２の作用点部８６が上昇することにより、回転軸８７を中心に回転し、作用点部８６が上昇する距離よりも大きい距離（たとえば、作用点部８６が上昇する距離の１０倍の距離）だけ、ガイド保持部８９が上昇する。
【００３８】
第５搬送ガイド３７は、ボス９０が形成されている。ボス９０は、第５搬送ガイド３７がガイド保持部８９とともに昇降するように、ガイド保持部８９に保持されている。
【００３９】
拡大機構８１は、このように形成されることにより、上側画像センサ６２が上昇するときに、上側画像センサ６２が上昇した距離より大きい距離（たとえば、上側画像センサ６２が上昇する距離の１００倍の距離）だけ、第５搬送ガイド３７を上昇させることができる。拡大機構８１は、さらに、下側画像センサ６１と上側画像センサ６２との距離が距離Ｘより十分に大きくなるように上側画像センサ６２が配置されているときに、第５搬送ガイド３７がストレート搬送路６８を開放するように第５搬送ガイド３７を上昇させる。拡大機構８１は、さらに、下側画像センサ６１と上側画像センサ６２との距離が距離Ｘと等しくなるように上側画像センサ６２が配置されているときに、第５搬送ガイド３７がストレート搬送路６８を遮断するように第５搬送ガイド３７を下降させる。
【００４０】
［画像読取装置の動作］
ユーザは、画像読取装置１を用いて原稿の画像を読み取りたいときに、まず、シュータ３を展開し、シュータ３を延伸させる。ユーザは、シュータ３を展開して延伸させた後に、画像読取装置１を用いて読み取りたい原稿をシュータ載置面１１に載置する。ユーザは、原稿をシュータ載置面１１に載置した後に、スタッカ６がスタッカ展開領域１９に配置されるように、スタッカ６を展開し、スタッカ６を延伸させる。ユーザは、スタッカ６がスタッカ展開領域１９に配置された後に、シュータ３に載置された原稿の画像が画像読取装置１により読み取られるように、画像読取装置１を操作する。
【００４１】
搬送装置３１は、ユーザにより画像読取装置１が操作されると、複数の搬送ローラ４１〜４７を正転させる。搬送装置３１は、複数の搬送ローラ４１〜４７が正転することにより、シュータ載置面１１に載置されている複数の原稿を１枚ずつシュータ載置面１１から搬送路６５に搬送し、搬送路６５から搬送路６６に搬送する。読取装置３２は、原稿が搬送路６５から搬送路６６に搬送されるときに、下側画像センサ６１がその原稿の下側の読取面に接触してその読取面の画像を読み取り、上側画像センサ６２がその原稿の上側の読取面に接触してその読取面の画像を読み取る。
【００４２】
上側画像センサ６２は、搬送路６５から搬送路６６に搬送される原稿の厚さが距離Ｘより薄いときに、上昇しないで、下側画像センサ６１と上側画像センサ６２との距離が距離Ｘと等しくなるように配置されている。拡大機構８１は、上側画像センサ６２が上昇していないことにより、第５搬送ガイド３７がストレート搬送路６８を遮断するように、第５搬送ガイド３７を下降したままの位置に配置する。
【００４３】
搬送装置３１は、第５搬送ガイド３７が下降していることにより、搬送路６６を搬送された原稿を屈曲搬送路６７に搬送する。搬送装置３１は、複数の搬送ローラ４１〜４７が正転することにより、屈曲搬送路６７を搬送された原稿をスタッカ６に搬送し、スタッカ６のスタッカ載置面１５に載置する。
【００４４】
上側画像センサ６２は、搬送路６５から搬送路６６に搬送される原稿の厚さが距離Ｘより厚いときに、上昇する。拡大機構８１は、上側画像センサ６２が上昇することにより、上側画像センサ６２が上昇した距離より大きい距離だけ、第５搬送ガイド３７を上昇させる。拡大機構８１は、上側画像センサ６２が十分な距離だけ上昇したときに、ストレート搬送路６８が開放されるまで、第５搬送ガイド３７を上昇させる。搬送装置３１は、ストレート搬送路６８を開放するように第５搬送ガイド３７が上昇しているときに、搬送路６６を搬送された原稿をストレート搬送路６８に搬送して筐体２の外部に排紙する。
【００４５】
上側画像センサ６２は、その原稿が下側画像センサ６１と上側画像センサ６２との間から通過した後に、下側画像センサ６１と上側画像センサ６２との間の距離が距離Ｘに等しくなるまで下降する。拡大機構８１は、上側画像センサ６２が下降することにより、第５搬送ガイド３７を下降させる。第５搬送ガイド３７は、ストレート搬送路６８に原稿が搬送されているときに、その原稿に引っかかり、下降が停止する。第５搬送ガイド３７は、原稿がストレート搬送路６８を通過した後に、搬送路６５が遮断されるように下降する。
【００４６】
すなわち、搬送装置３１は、画像が読み取られた原稿が所定の厚さより厚いときに、ストレート搬送路６８を介してその原稿を筐体２の外部に排紙し、その原稿が所定の厚さより薄いときに、屈曲搬送路６７を介してその原稿をスタッカ載置面１５に載置する。
【００４７】
［画像読取装置の効果］
実施例１の画像読取装置１は、上側画像センサ６２と第５搬送ガイド３７と拡大機構８１とを備えている。上側画像センサ６２は、搬送されている原稿に接触することにより、原稿の厚さが所定の距離Ｘより薄いときに、下側画像センサ６１と上側画像センサ６２との距離が所定の距離Ｘである第１検出領域に配置される。上側画像センサ６２は、原稿の厚さが所定の距離Ｘより厚いときに、下側画像センサ６１と上側画像センサ６２との距離が所定の距離Ｘより大きい第２検出領域に配置される。第５搬送ガイド３７は、下降して、ストレート搬送路６８を遮断する第１ガイド位置に配置されることにより原稿を屈曲搬送路６７に案内する。第５搬送ガイド３７は、上昇して、ストレート搬送路６８を開放する第２ガイド位置に配置されることにより原稿をストレート搬送路６８に案内する。拡大機構８１は、上側画像センサ６２が第１検出領域に配置されることにより第５搬送ガイド３７を第１ガイド位置に移動させる。拡大機構８１は、上側画像センサ６２が第２検出領域に配置されることにより第５搬送ガイド３７を第２ガイド位置に移動させる。
【００４８】
このような画像読取装置１は、屈曲搬送路６７とストレート搬送路６８とのうちの原稿の厚さに対応する搬送路を介して原稿を搬送することができる。その結果、画像読取装置１は、原稿が適切でない搬送路に搬送されることによる不具合を防止し、読み取られた原稿を適切に排紙することができる。画像読取装置１は、さらに、原稿の厚さに応じて変動する上側画像センサ６２の位置に応じて搬送路を機械的に切り替えることにより、電力を用いないで、搬送路を切り替えることができ、省電力である。
【００４９】
また、実施例１の画像読取装置１において、原稿が屈曲搬送路６７を通過するときに原稿が変形する程度は、原稿がストレート搬送路６８を通過するときに原稿が変形する程度より大きい。厚い原稿は、変形しにくく、屈曲した屈曲搬送路６７を通過するときに屈曲搬送路６７に引っかかり、紙詰まりを発生させることがある。厚い原稿は、さらに、屈曲した屈曲搬送路６７を通過することにより、屈曲する癖がつくことがある。画像読取装置１は、屈曲していないストレート搬送路６８に厚い原稿を搬送することにより、このような不具合を防止することができる。
【００５０】
また、上側画像センサ６２は、原稿に接触することにより原稿から画像を読み取る。このような画像読取装置１は、搬送される原稿の厚さに応じて位置が変動する可動部材を上側画像センサ６２と別個に設ける必要がなく、部品点数を低減し、製造コストを低減することができる。
【００５１】
また、実施例１の画像読取装置１の拡大機構８１は、第１てこ８２と第２てこ８３とを有している。第１てこ８２は、上側画像センサ６２が移動することにより作用点部８６を移動させる。第２てこ８３は、作用点部８６が移動することにより第５搬送ガイド３７を移動させる。このような拡大機構８１は、複数のてこを備えていることにより、拡大機構８１に形成される遊びが第５搬送ガイド３７の移動に及ぼす影響を低減し、上側画像センサ６２の変動により第５搬送ガイド３７を安定して移動させることができる。拡大機構８１は、複数のてこを備えていることにより、さらに、小型化されることができる。画像読取装置１は、拡大機構８１が小型化されることにより、上側画像センサ６２と第５搬送ガイド３７との間の距離が小さい場合でも、拡大機構８１を配置することができ、第５搬送ガイド３７を適切に移動させることができる。画像読取装置１は、拡大機構８１が小型化されることにより、さらに、小型化されることができる。
【００５２】
ところで、実施例１の画像読取装置１の拡大機構８１は、複数のてこを備えているが、１つのてこから形成されていてもよい。その１つのてこは、下側画像センサ６１と上側画像センサ６２との距離が距離Ｘと等しくなるように上側画像センサ６２が配置されているときに、第５搬送ガイド３７がストレート搬送路６８を遮断するように第５搬送ガイド３７を下降させる。その１つのてこは、さらに、下側画像センサ６１と上側画像センサ６２との距離が距離Ｘより十分に大きくなるように上側画像センサ６２が配置されているときに、第５搬送ガイド３７がストレート搬送路６８を開放するように第５搬送ガイド３７を上昇させる。１つのてこから形成される拡大機構が設けられている画像読取装置も、既述の画像読取装置１と同様にして、原稿の厚さに対応する搬送路を介して原稿を適切に搬送することができ、省電力である。
【００５３】
さらに、画像読取装置１の拡大機構８１は、さらに、てこ以外の機械要素を用いて形成される他の拡大機構に置換されてもよい。
【００５４】
＜実施例２＞
［他の拡大機構］
図１２は、実施例２の拡大機構９１を示す側面図である。拡大機構９１は、図１２に示されているように、第１リンク９２とレバー９３と第２リンク９４とを備えている。第１リンク９２は、棒状に形成され、回転軸９５を中心に回転可能にベース部２０に支持されている。回転軸９５は、回転軸５１に平行であり、上側画像センサ６２の上部に配置されている。第１リンク９２は、上側画像センサ６２の上部に突き当たる力点部９６が一端に形成され、他端に作用点部９７が形成されている。作用点部９７から回転軸９５までの距離は力点部９６から回転軸９５までの距離より長い。第１リンク９２は、上側画像センサ６２が上昇することにより、回転軸９５を中心に回転し、作用点部９７を奥側に移動させる。
【００５５】
第２リンク９４は、棒状に形成され、力点部９８が形成され、回転軸９９を中心に回転可能にベース部２０に支持されている。第２リンク９４は、さらに、第５搬送ガイド３７に形成されるボス１０１を保持するガイド保持部１００が形成されている。ガイド保持部１００から回転軸９９までの距離は、力点部９８から回転軸９９までの距離より長い。レバー９３は、棒状に形成されている。レバー９３は、一端が第１リンク９２の作用点部９７に回転可能に支持され、他端が第２リンク９４の力点部９８に回転可能に支持されている。レバー９３は、第１リンク９２の作用点部９７が奥側に移動することにより、奥側に移動し、第２リンク９４の力点部９８を奥側に移動させる。第２リンク９４は、力点部９８が奥側に移動することにより、回転軸９９を中心に回転し、ガイド保持部１００を上昇させる。
【００５６】
図１３は、上側画像センサ６２が上昇したときの拡大機構９１を示す側面図である。第５搬送ガイド３７は、ガイド保持部１００が上昇することにより、図１３に示されているように、ストレート搬送路６８が開放されるように上昇する。
【００５７】
拡大機構９１は、下側画像センサ６１と上側画像センサ６２との距離が距離Ｘと等しくなるように上側画像センサ６２が配置されているときに、図１２に示されているように、第５搬送ガイド３７がストレート搬送路６８を遮断するように第５搬送ガイド３７を下降させる。
【００５８】
画像読取装置１は、拡大機構８１がこのような拡大機構９１に置換された場合でも、既述の画像読取装置１と同様にして、屈曲搬送路６７とストレート搬送路６８とのうちの原稿の厚さに対応する搬送路を介して原稿を適切に排紙することができ、省電力である。
【００５９】
＜実施例３＞
［さらに他の拡大機構］
図１４は、実施例３の拡大機構１１１を示す側面図である。拡大機構１１１は、図１４に示されているように、第１歯車１１２と第２歯車１１３とストッパ１１４とを備えている。第１歯車１１２は、概ね扇形に形成され、回転軸１１５を中心に回転可能にベース部２０に支持されている。回転軸１１５は、回転軸５１に平行である。第１歯車１１２は、さらに、回転軸１１５を中心とする円弧に沿う複数の歯１１６が形成されている。第１歯車１１２は、さらに、上側画像センサ６２の上部に突き当たる力点部１１０が形成されている。
【００６０】
第２歯車１１３は、棒状に形成され、回転軸１１７を中心に回転可能にベース部２０に支持されている。回転軸１１７は、回転軸１１５に平行である。第２歯車１１３は、さらに、一端に回転軸１１７を中心とする円弧に沿う複数の歯１２０が形成されている。第２歯車１１３は、複数の歯１２０が第１歯車１１２の複数の歯１１６に噛み合うように配置されている。第２歯車１１３は、第５搬送ガイド３７に形成されるボス１０１を保持するガイド保持部１１８が他端に形成されている。ストッパ１１４は、ガイド保持部１１８が所定位置から下側に配置されないように、第２歯車１１３が回転することを抑止している。
【００６１】
第１歯車１１２は、上側画像センサ６２が上昇することにより、力点部１１０が上昇し、回転軸１１５を中心に回転する。第２歯車１１３は、複数の歯１１６と複数の歯１２０とが噛み合っていることにより、第１歯車１１２が回転すると、回転軸１１７を中心に回転する。第２歯車１１３のガイド保持部１１８は、第２歯車１１３が回転することにより、上昇する。第５搬送ガイド３７は、ガイド保持部１１８が上昇することにより、ストレート搬送路６８が開放されるように上昇する。拡大機構１１１は、下側画像センサ６１と上側画像センサ６２との距離が距離Ｘと等しくなるように上側画像センサ６２が配置されているときに、第５搬送ガイド３７がストレート搬送路６８を遮断するように第５搬送ガイド３７を下降させる。
【００６２】
実施例３の画像読取装置の第１歯車１１２は、複数の歯１１６が形成され、第２歯車１１３は、複数の歯１１６にかみ合う複数の歯１２０が形成されている。このような拡大機構１１１は、第１歯車１１２の運動を適切に第２歯車１１３に伝達することができ、第５搬送ガイド３７を適切に移動させることができる。すなわち、画像読取装置１は、拡大機構８１がこのような拡大機構１１１に置換された場合でも、既述の画像読取装置１と同様にして、屈曲搬送路６７とストレート搬送路６８とのうちの原稿の厚さに対応する搬送路を介して原稿を適切に搬送することができ、省電力である。
【００６３】
ところで、画像読取装置１は、読取装置３２の上側画像センサ６２の昇降に基づいて第５搬送ガイド３７を昇降させているが、上側画像センサ６２以外の可動部材の変動に基づいて第５搬送ガイド３７を昇降させてもよい。その可動部材としては、第２搬送ガイド３４の端６９、第４搬送ローラ４４が例示される。
【００６４】
拡大機構８１、９１、１１１は、その可動部材として第２搬送ガイド３４の端６９が採用されたときに、端６９が上昇したときに第５搬送ガイド３７を機械的に上昇させ、端６９が下降したときに第５搬送ガイド３７を機械的に下降させる他の拡大機構に置換される。このような拡大機構が設けられた画像読取装置も、既述の、画像読取装置１と同様にして、屈曲搬送路６７とストレート搬送路６８とのうちの原稿の厚さに対応する搬送路を介して原稿を適切に搬送することができ、省電力である。
【００６５】
さらに、画像読取装置１は、第５搬送ガイド３７を昇降させて原稿が搬送される搬送路を切り替えているが、第５搬送ガイド３７以外の切替部を移動させることにより、原稿が搬送される搬送路を切り替えてもよい。
【００６６】
＜実施例４＞
［さらに他の拡大機構］
図１５は、実施例４の画像読取装置の搬送ガイドと拡大機構を示す側面図である。実施例４の画像読取装置は、図１５に示されているように、開閉カバー１２１とストッパ１２２とバネ１２３とを備えている。開閉カバー１２１は、屈曲した板状に形成され、回転軸１２４を中心に回転可能にベース部２０に支持されている。開閉カバー１２１は、回転軸１２４を中心に回転することにより、ストレート搬送路６８を遮断したり開放したりするように配置されている。ストッパ１２２は、開閉カバー１２１がストレート搬送路６８を遮断するように配置されているときに、開閉カバー１２１の回転を抑止するように配置され、ベース部２０に固定されている。バネ１２３は、弾性体から形成されている。バネ１２３は、一端がベース部２０に固定され、他端が開閉カバー１２１に固定されている。バネ１２３は、開閉カバー１２１がストレート搬送路６８を遮断する位置に配置されるように、弾性力を開閉カバー１２１に印加している。
【００６７】
実施例４の画像読取装置は、さらに、実施例１の第５搬送ガイド３７が他の搬送ガイド１２５に置換されている。搬送ガイド１２５は、柱体状に形成され、円柱の側面の一部に沿う凹面が形成されている。搬送ガイド１２５は、第４搬送ガイド３６に対向して屈曲搬送路６７を形成するように、かつ、ストレート搬送路６８を開放するように、第４搬送ガイド３６の手前側に配置され、ベース部２０に固定されている。
【００６８】
実施例４の画像読取装置は、さらに、実施例１の拡大機構８１が他の拡大機構１３１に置換されている。拡大機構１３１は、第１ローラ１３２と第２ローラ１３３とを備えている。第１ローラ１３２は、円柱状に形成され、第４搬送ローラ４４の下側に配置され、回転軸１３４を中心に回転可能にベース部２０に支持されている。第２ローラ１３３は、円柱状に形成され、第１ローラ１３２の下側に配置され、回転軸１２４を中心に回転可能にベース部２０に支持されている。第２ローラ１３３は、さらに、外周が第１ローラ１３２の外周に接触するように、配置されている。第２ローラ１３３は、さらに、外周が第１ローラ１３２の外周に接触していることにより、第１ローラ１３２が回転すると、回転軸１２４を中心に回転する。第２ローラ１３３は、さらに、開閉カバー１２１とともに回転軸１２４を中心に回転するように、開閉カバー１２１に固定されている。
【００６９】
図１６は、実施例４の拡大機構１３１を示す拡大図である。第１ローラ１３２は、さらに、図示されていない調整ねじがユーザにより回転されることにより、回転軸１３４がベース部２０に対して昇降するように、ベース部２０に対して昇降する。第１ローラ１３２は、ベース部２０に対して昇降することにより、第４搬送ローラ４４と第１ローラ１３２との隙間の大きさが調整されることができる。
【００７０】
図１７は、第４搬送ローラ４４が下降したときの拡大機構１３１を示す側面図である。第４搬送ローラ４４は、搬送路６６を搬送される原稿の厚さにより昇降し、原稿が厚いほど下降する。第４搬送ローラ４４は、搬送路６６を搬送される原稿が所定の厚さ（たとえば、０．５ｍｍ）より厚いときに、第１ローラ１３２に接触する。第１ローラ１３２は、第４搬送ローラ４４に接触すると、第４搬送ローラ４４が正転していることにより、回転する。第２ローラ１３３は、第１ローラ１３２に接触しているため、第１ローラ１３２が回転することにより、回転する。開閉カバー１２１は、第２ローラ１３３が回転すると、ストレート搬送路６８が開放されるように回転する。このため、実施例４の画像読取装置の搬送装置は、画像が読み取られた原稿が所定の厚さより厚いときに、開閉カバー１２１がストレート搬送路６８を開放することにより、ストレート搬送路６８を介してその原稿を筐体２の外部に排紙する。
【００７１】
第４搬送ローラ４４は、搬送路６６を搬送される原稿が所定の厚さより薄いときに、第１ローラ１３２に接触するまで下降しない。このため、第１ローラ１３２と第２ローラ１３３とは、回転しないで、開閉カバー１２１は、ストレート搬送路６８を遮断したままである。このため、実施例４の画像読取装置の搬送装置は、画像が読み取られた原稿が所定の厚さより薄いときに、開閉カバー１２１がストレート搬送路６８を遮断することにより、屈曲搬送路６７を介してその原稿をスタッカ６に搬送し、その原稿をスタッカ載置面１５に載置する。
【００７２】
実施例４の画像読取装置は、原稿の厚さによる第４搬送ローラ４４の変動を利用して、原稿が搬送される搬送路を切り替えている。実施例４の画像読取装置は、第４搬送ローラ４４の変動を利用して原稿が搬送される搬送路を切り替える場合でも、既述の画像読取装置１と同様にして、屈曲搬送路６７とストレート搬送路６８とのうちの原稿の厚さに対応する搬送路を介して原稿を適切に搬送することができる。
【００７３】
実施例４の画像読取装置の拡大機構１３１は、第１ローラ１３２と第２ローラ１３３とを備えている。第１ローラ１３２は、搬送路６６を搬送される原稿が所定の厚さより薄いときに、第４搬送ローラ４４に接触しないで、搬送路６６を搬送される原稿が所定の厚さより厚いときに、第４搬送ローラ４４に接触することにより回転する。第２ローラ１３３は、第１ローラ１３２が回転することにより開閉カバー１２１がストレート搬送路６８を開放するように、開閉カバー１２１を移動させる。実施例４の画像読取装置は、第４搬送ローラ４４の変動を利用して原稿が搬送される搬送路を切り替える場合でも、既述の画像読取装置１と同様にして、屈曲搬送路６７とストレート搬送路６８とのうちの原稿の厚さに対応する搬送路を介して原稿を適切に搬送することができ、省電力である。
【００７４】
＜実施例５＞
［キャリアシート］
図１８は、キャリアシートを示す斜視図である。図１９は、キャリアシートを示す側面図である。画像読取装置１は、さらに、図１８に示されているように、キャリアシート１４１を備えている。キャリアシート１４１は、第１シート１４２と第２シート１４３とを備えている。第１シート１４２は、樹脂に例示される透明である可撓性材料から形成され、長方形のシート状に形成されている。第２シート１４３は、第１シート１４２と同様にして、樹脂に例示される透明である可撓性材料から形成され、長方形のシート状に形成されている。第２シート１４３は、一辺の端が第１シート１４２の一辺の端に接合されている。キャリアシート１４１は、第１シート１４２と第２シート１４３とが接合されることにより、第１シート１４２と第２シート１４３との間に綴じ目１４４が形成されている。キャリアシート１４１は、第１シート１４２と第２シート１４３とが重なるように、綴じ目１４４に沿って折れ曲がることができる。キャリアシート１４１は、第１シート１４２の厚さと第２シート１４３の厚さとの和が所定の厚さ（たとえば、０．５ｍｍ）より厚くなるように、形成されている。キャリアシート１４１は、画像読取装置１を用いて読み取りたい原稿１４５とともに利用される。たとえば、原稿１４５は、薄い部分と厚い部分とがある冊子から形成されていてもよい。
【００７５】
キャリアシート１４１は、画像読取装置で利用されるときに、図１９に示されているように、第１シート１４２と第２シート１４３との間に原稿１４５を挟むように、綴じ目１４４に沿って折り曲げられる。
【００７６】
画像読取装置１は、原稿１４５が挟まれたキャリアシート１４１がシュータ３のシュータ載置面１１に載置されたときに、キャリアシート１４１を搬送路６５、６６に搬送する。画像読取装置１は、キャリアシート１４１が所定の厚さより厚いことにより、キャリアシート１４１を屈曲搬送路６７に搬送しないで、キャリアシート１４１をストレート搬送路６８に搬送して筐体２の外部に排紙する。
【００７７】
すなわち、画像読取装置１は、原稿１４５が所定の厚さより薄い場合であっても、原稿１４５がキャリアシート１４１に挟まれることにより、原稿１４５の画像が読み取られた後に、キャリアシート１４１をストレート搬送路６８に搬送して筐体２の外部に排紙する。
【００７８】
画像読取装置１は、薄い部分が先頭になるように原稿１４５が搬送路６５、６６を搬送されたときに、原稿１４５を屈曲搬送路６７に搬送することがある。原稿１４５は、キャリアシート１４１に挟まれて搬送されるときに、原稿１４５が所定の厚さより薄い場合でも、厚さが所定の厚さより厚いことにより、ストレート搬送路６８に搬送されて筐体２の外部に排紙される。
【００７９】
原稿は、材料によっては、厚さが所定の厚さより薄い場合でも、屈曲搬送路６７を搬送されるときに、屈曲する癖がつくことがあり、または、屈曲搬送路６７に引っかかり、紙詰まりを発生させることがある。ユーザは、このような原稿を画像読取装置１に読み取らせるときに、その原稿をキャリアシート１４１に挟んでシュータ３のシュータ載置面１１に載置することにより、画像が読み取られた原稿がストレート搬送路６８に搬送されて筐体２の外部に排紙させることができる。このため、画像読取装置１は、キャリアシート１４１を利用することにより、このような原稿に屈曲する癖がついたり、このような原稿により紙詰まりが発生したりすることを防止することができる。
【００８０】
なお、画像読取装置１は、読取装置３２が下側画像センサ６１と上側画像センサ６２とを備えているが、どちらか一方が搬送ガイドに置換されてもよい。下側画像センサ６１または上側画像センサ６２の一方が搬送ガイドに置換された画像読取装置は、搬送される原稿の片方の面のみを読み取る。このような画像読取装置も、屈曲搬送路６７とストレート搬送路６８とのうちの原稿の厚さに対応する搬送路を介して原稿を適切に搬送することができ、省電力である。
【符号の説明】
【００８１】
１  ：画像読取装置
２  ：筐体
３  ：シュータ
６  ：スタッカ
３１：搬送装置
３２：読取装置
３３〜３７：複数の搬送ガイド
４１〜４７：複数の搬送ローラ
６７：屈曲搬送路
６８：ストレート搬送路
８１：拡大機構
９１：拡大機構
１１１：拡大機構
１３１：拡大機構
１４１：キャリアシート
【図１】
2017197308.tif 000003
【図２】
2017197308.tif 000004
【図３】
2017197308.tif 000005
【図４】
2017197308.tif 000006
【図５】
2017197308.tif 000007
【図６】
2017197308.tif 000008
【図７】
2017197308.tif 000009
【図８】
2017197308.tif 000010
【図９】
2017197308.tif 000011
【図１０】
2017197308.tif 000012
【図１１】
2017197308.tif 000013
【図１２】
2017197308.tif 000014
【図１３】
2017197308.tif 000015
【図１４】
2017197308.tif 000016
【図１５】
2017197308.tif 000017
【図１６】
2017197308.tif 000018
【図１７】
2017197308.tif 000019
【図１８】
2017197308.tif 000020
【図１９】
2017197308.tif 000021